(57)【要約】【課題】液体を揚送するポンプの組立検査において、揚水することなく検査作業に多くの時間と労力を掛けることなく且つ熟練性も必要とせず、小さなスペースで容易に取扱うことができ、安価で極めて容易にポンプの組立状態が判定できる、ポンプの組立検査装置およびその方法の提供。【解決手段】ポンプ１を無負荷運転の送風状態で、ポンプ１の吐出口１ｄと接続する送気口７の上端に内部が可視化可能な透明の外筒４を立設し、外筒４内の下部に付設される軸受台６と上部に付設される外筒ヘット３により支承されるガイド軸８に送風を受けて自在に昇降するインジケータ５を遊嵌し、外筒４の所定位置には正常な組立状態でインジケータ５を浮遊静止させるインジケータ静止用リリース孔Ｈ６，Ｈ５と風量調整リリ−ス孔Ｈａ，Ｈｂおよび上部リリ−ス孔Ｈｕを穿設し、外筒４内の送風は上部の外筒ヘット３に穿設された排気孔Ｈｅより大気中に排気されるよう構成する。【選択図】        図１
2008190408.tif 000002
【特許請求の範囲】
【請求項１】
液体を揚送するポンプの組立検査装置において、組立後の該ポンプの吸込口を大気開放させ空転起動による無負荷運転状態で、該ポンプに内装される羽根車の遠心作用により発生する送風をうけるため、該ポンプの吐出口と接続する送気口の上端に内部が可視化可能な透明の外筒を立設し、該外筒内の下部に付設される軸受台と上部に付設される外筒ヘットにより支承されるガイド軸に上記送風を受けて自在に昇降するインジケータを遊嵌し、該外筒の所定位置には正常な組立状態で該インジケータを浮遊静止させる調節用の多くインジケータ静止用リリース孔と上記送風の風量調整リリ−ス孔および上部リリ−ス孔を穿設し、該外筒内に送気された送風は上部の外筒ヘットに穿設された排気孔より大気中に排気されるよう構成したことを特徴とするポンプの組立検査装置。
【請求項２】
液体を揚送するポンプの組立検査方法において、請求項１記載の組立検査装置を用いて、組立後の該ポンプの吸込口を大気開放させ空転起動による無負荷運転状態で、該ポンプの吐出口からの送風を上記組立検査装置内に送気されるように接続し、該送風により該組立検査装置内のインジケータが所定のインジケータ静止用リリース孔位置で浮遊静止するか否かを目視確認することで揚水することなく該ポンプが正常に組立てられているか否かが容易に判別し得ることを特徴とするポンプの組立検査方法。
【発明の詳細な説明】
【技術分野】
【０００１】
本発明は、ポンプの組立検査装置およびその検査方法に関するものである。
【背景技術】
【０００２】
従来は、ポンプの組立完了の検査として、ポンプを駆動し試験水槽と連通されたポンプの吸込管より吸水し、ポンプの吐出管を経由して上記試験水槽に返送送水させる過程においてし、該吐出管路に介装された調整弁の開度、すなわち水力抵抗を調整することにより運転中の該ポンプにかかる揚程を種々変更し、調整弁の締切状態（ポンプ吐出量＝０）から全力揚水状態（ポンプ吐出量＝最大）に至るまでのポンプ特性（揚程−流量−駆動力の関係）を上記吐出管路に介装された流量計および吸込側と吐出側に付設された圧力計ならびにモータに付設された電力計等の計測計を具備した検査装置を用いて計測された各計測値を処理したポンプ特性により上記ポンプが所定通り正常に組立されているか否かが判定されていた。
【０００３】
しかしながら、前記検査装置を用いた揚水検査方法では、試験用水を貯水する試験水槽および該揚水を循環返送する吸込と吐出の試験配管が必要となり検査装置自体が大きく、しかも前記調整弁の開度を適宜調整しながらポンプ特性を計測しなければならないため測定に時間が掛かると共に、各種計測計により計測された計測値を揚程−流量−駆動力の関係としてデータ処理しなければ前記ポンプが所定通り正常に組立されているか否を判定することができず、更に揚水確認後にポンプ内に残存する試験用水を除去すると共に発錆防止のためにポンプ内外に付着する水分を完全に乾燥しなければならず、検査のために多くの時間と労力が必要とされ、また測定のために調整弁の開度調整や測定データの処理および測定結果の良否判定等の作業に熟練性を要し、しかも検査装置が大型化するため広い設置スペースが必要であり、更にまたモータ等によってポンプを実負荷揚水運転させるためポンプの性能測定時に要するエネルギーコストも高くなるという問題点を有している。
【特許文献１】特開平５−１２６０５６号公報  （第６図）
【発明の開示】
【発明が解決しようとする課題】
【０００４】
解決しようとする課題は、液体を揚送するポンプの組立検査において、揚水することなく検査作業に多くの時間と労力を掛けることなく且つ熟練性も必要とせず、検査装置を軽量小型化することで小さなスペースで容易に取扱うことができ、しかも検査に要するエネルギーコストも安価であり、極めて容易にポンプの組立状態を判定することができる、ポンプの組立検査装置およびその方法を提供することである。
【課題を解決するための手段】
【０００５】
本発明のポンプの組立検査装置では、組立後の該ポンプの吸込口を大気開放させ空転起動による無負荷運転状態で、該ポンプに内装される羽根車の遠心作用により発生する送風をうけるため、該ポンプの吐出口と接続する送気口の上端に内部が可視化可能な透明の外筒を立設し、該外筒内の下部に付設される軸受台と上部に付設される外筒ヘットにより支承されるガイド軸に上記送風を受けて自在に昇降するインジケータを遊嵌し、該外筒の所定位置には正常な組立状態で該インジケータを浮遊静止させる調節用のインジケータ静止用リリース孔と上記送風の風量調整リリ−ス孔および上部リリ−ス孔を穿設し、該外筒内に送気された多くの送風は上部の外筒ヘットに穿設された排気孔より大気中に排気されるよう構成したことを最も主要な特徴とする。
【０００６】
また、本発明のポンプの組立検査方法では、前記組立検査装置を用いて、組立後の該ポンプの吸込口を大気開放させ空転起動による無負荷運転状態で、該ポンプの吐出口からの送風を上記組立検査装置内に送気されるように接続し、該送風により該組立検査装置内のインジケータが所定のインジケータ静止用リリース孔位置で浮遊静止するか否かを目視確認することで揚水することなく該ポンプが正常に組立てられているか否かが容易に判別し得ることを最も主要な特徴とする。
【発明の効果】
【０００７】
本発明ポンプの組立検査装置およびその方法によれば、予め正常に組立られたポンプの送風量で上記組立検査装置内のインジケータが所定位置で浮遊静止するよう調整・整備された組立検査装置を該ポンプの吐出口に装着し、該ポンプの吸込口を大気開放させ空転起動による無負荷運転させるため、揚水することなく計測操作が一切不要であり該ポンプに内装された羽根車の遠心作用で発生する送風量により、上記インジケータが所定位置で浮遊静止するか否かを視認するだけで熟練性を必要とせず適正且つ容易にポンプの組立状態を瞬時に判定することができるので、検査作業に多くの時間と労力を掛けることなく且つ検査後のポンプの水切・乾燥作業が一切不要であり、しかも空転による無負荷運転のため検査に消費されるエネルギーも極めて低く、検査装置が軽量小型化されるため狭いスペースにも対応でき、極めて作業・経済性に優れた効率の良いポンプの組立検査が行えるという利点を有している。また、検査対象が電動ポンプの場合には、無負荷運転のため検査電力が小さいく例えば６０Ｈｚの商用電源により５０Ｈｚ仕様のポンプの組立検査ができ、しかも一つの組立検査装置で５０と６０Ｈｚの両仕様のポンプの組立検査ができるなど、特に大量生産のポンプ組立検査に極めて適している。
【発明を実施するための最良の形態】
【０００８】
液体を揚送するポンプの組立検査装置およびその検査方法において、組立後の該ポンプの吸込口を大気開放させ空転起動による無負荷運転状態で、該ポンプに内装される羽根車の遠心作用により発生する送風をうけるため、該ポンプの吐出口と接続する送気口の上端に内部が可視化可能な透明の外筒を立設し、該外筒内の下部に付設される軸受台と上部に付設される外筒ヘットにより支承されるガイド軸に上記送風を受けて自在に昇降するインジケータを遊嵌し、該外筒の所定位置には正常な組立状態で該インジケータを浮遊静止させる調節用のインジケータ静止用リリース孔と上記送風の風量調整リリ−ス孔および上部リリ−ス孔を穿設し、該外筒内に送気された多くの送風は上部の外筒ヘットに穿設された排気孔より大気中に排気されるよう構成された上記組立検査装置を用いて、該ポンプの吐出口からの送風により該組立検査装置内のインジケータが所定のインジケータ静止用リリース孔位置で浮遊静止するか否かを目視確認することで揚水することなく該ポンプが正常に組立てられているか否かを容易に判別し得る。
【実施例１】
【０００９】
図１ないし図３を参照して、本発明のポンプの組立検査装置およびその検査方法の実施例について説明する。
【００１０】
図１は、液体を揚送するポンプ１の上部に原動機Ｍとして例えば電動モータを搭載し組立られた該ポンプ１に組立検査装置２を用いて検査している状態を例示した図であり、組立後の該ポンプ１の吸込口を大気開放させ空転起動による無負荷運転状態で、該ポンプ１に内装される羽根車（図示せず）の遠心作用により発生する送風をうけるため、該ポンプ１の吐出口１ｄに上記組立検査装置２の送気口７を接続し、該送気口７の上端には内部が可視化可能な透明の外筒４を立設し、該外筒４内の下部に付設される軸受台６と上部に付設される外筒ヘット３により支承されるガイド軸８に上記送風を受けて自在に昇降するインジケータ５を遊嵌し、該外筒４の所定位置には予め正常に組立られ規定のポンプ特性（揚程−流量−駆動力の関係）が確認された６０および５０Ｈｚ仕様の各ポンプを校正原器として、後述の各リリース孔を穿設すると共に該インジケータ５の上端面には浮力微調整のウエイト９を装着することで組立検査装置２を整備する。
【００１１】
そして、一つの前記組立検査装置２で６０と５０Ｈｚ仕様のポンプ検査を兼用するため、外筒４の所定判定位置にインジケータ５を浮遊静止させる調節用の６０Ｈｚ仕様判定のインジケータ静止用リリース孔Ｈ６と５０Ｈｚ仕様判定のインジケータ静止用リリース孔Ｈ５を穿設すると共に、該インジケータ５の浮力調整としてインジケータ静止用リリース孔Ｈ６の下方に風量調整リリ−ス孔Ｈａを穿設し、更に６０および５０Ｈｚ仕様ポンプで送風量に大きな差が有る場合にはインジケータ静止用リリース孔Ｈ６とインジケータ静止用リリース孔Ｈ５の間に６０と５０Ｈｚ仕様ポンプの送風量差を調整するための風量調整リリ−ス孔Ｈｂを穿設し、インジケータ静止用リリース孔Ｈ５の上方に上部リリ−ス孔Ｈｕを穿設することで５０Ｈｚ仕様のポンプの検査時には該インジケータ５がインジケータ静止用リリース孔Ｈ５位置より上方に一度吹上げられるが上部リリ−ス孔Ｈｕよりの排風により逸早くインジケータ静止用リリース孔Ｈ５位置に浮遊静止させることができる。尚、６０Ｈｚ仕様のポンプの検査時にも該インジケータ５がインジケータ静止用リリース孔Ｈ６位置より上方に一度吹上げられるがインジケータ静止用リリース孔Ｈ６より上方に穿設されているインジケータ静止用リリース孔Ｈ５および上部リリ−ス孔Ｈｕよりの排風により逸早くインジケータ静止用リリース孔Ｈ６位置に浮遊静止させることができる。そして、組立検査装置２内に残存された多くの送風は最終的に上端の外筒ヘット３に穿設された排気孔Ｈｅより大気中に排気される。
【００１２】
また、ガイド軸８の上端は外筒ヘット３を貫通し締結具１１により外筒ヘット３に締結することでガイド軸８を固定すると共に外筒ヘット３と外筒４が接合され、ガイド軸８の下端の軸受台６上面には非送風時にインジケータ５を次の送風に対して浮遊し易いように待機させるための逆円錐形の待機座１０が設けられている。そして、インジケータ５の形体を特定する必要はないが浮力を受け易い円板状の形体とすることが望ましく、前述以外の浮力調整として該インジケータ５の外周径φＤを大小に調整してもよい。
【図面の簡単な説明】
【００１３】
【図１】本発明ポンプの組立検査装置をポンプに装着し組立検査している状態を示す側面図である。
【図２】本発明ポンプの組立検査装置の側面図である。。
【図３】本発明ポンプの組立検査装置の平面図である。
【符号の説明】
【００１４】
１      ポンプ
１ｄ    吐出口
２      組立検査装置
３      外筒ヘット
４      外筒
５      インジケータ
６      軸受台
７      送気口
９      ガイド軸
Ｈ５      インジケータ静止用リリース孔
Ｈ６      インジケータ静止用リリース孔
Ｈａ      風量調整リリ−ス孔
Ｈｂ      風量調整リリ−ス孔
Ｈｕ      上部リリ−ス孔
【図１】
2008190408.tif 000003
【図２】
2008190408.tif 000004
【図３】
2008190408.tif 000005